【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
ユーザー機器によって、媒体アクセス制御層でセカンダリセル（ＳＣｅｌｌ）のビーム失敗を検出することと、
失敗が生じた前記ＳＣｅｌｌについて、候補ビーム測定値を物理層から受信することと、
ネットワーク構成に応じて、ＳＣｅｌｌビーム失敗リカバリ媒体アクセス制御制御要素におけるチャネル状態情報基準信号および／または同期信号ブロックインデックスの報告されたセットを決定することと、
前記ＳＣｅｌｌビーム失敗リカバリ媒体アクセス制御制御要素を生成および送信することと、
を含む方法。
【請求項２】
前記インデックスの報告されたセットを決定することは、前記受信した候補ビーム測定値に対する特定の選択基準に基づく、請求項１に記載の方法。
【請求項３】
前記ＳＣｅｌｌビーム失敗リカバリ媒体アクセス制御制御要素がいつ適切に送信されたかを決定することをさらに含む、請求項１又は２に記載の方法。
【請求項４】
前記ＳＣｅｌｌビーム失敗リカバリ媒体アクセス制御制御要素における少なくとも１つの報告されたリソースを前記物理層に示すことをさらに含み、前記示すことは、前記決定されたインデックスに対する特定の選択基準に基づく、請求項１から３のいずれかに記載の方法。
【請求項５】
前記ユーザー機器によって、空間受信機フィルタを設定することをさらに含み、前記設定することは、前記示された少なくとも１つの報告されたリソースに基づく、請求項４に記載の方法。
【請求項６】
前記物理層に示された、前記少なくとも１つの報告されたリソースが、複数の報告されたリソースを含む場合、前記設定することは、報告された最高の報告量を有するダウンリンク基準信号と、前記ＳＣｅｌｌの物理ダウンリンク制御チャネル復調基準信号とが疑似同位置であるという仮定の下、前記空間受信機フィルタを設定することを含むこと、
前記物理層に示された、前記少なくとも１つの報告されたリソースが、チャネル状態情報基準信号からなる場合、前記設定することは、報告された最高の報告量を有するチャネル状態情報基準信号に応じて、前記空間受信機フィルタを設定することを含むこと、
前記物理層に示された、前記少なくとも１つの報告されたリソースが、少なくとも１つのチャネル状態情報基準信号および少なくとも１つの同期信号ブロックを含む場合、前記設定することは、報告された最高の報告量を有する同期信号ブロックを想定して、前記空間受信機フィルタを設定することを含むこと、
のうち少なくとも１つを含む、請求項５に記載の方法。
【請求項７】
前記空間受信機フィルタを設定することは、物理ダウンリンク制御チャネルの送信設定標示状態テーブルのエントリを考慮する、請求項５又は６に記載の方法。
【請求項８】
前記ユーザー機器がサービングＳＣｅｌｌごとに複数のパネルと、複数の送信機ユニットとともに動作可能であれば、前記設定することは、物理ダウンリンク制御チャネル復調基準信号が、報告された最高の報告量を有する複数のダウンリンク基準信号と疑似同位置であるという仮定の下、前記空間受信機フィルタを選択することを含む、請求項５から７のいずれかに記載の方法。
【請求項９】
前記報告されたリソースが、２つ以上の同期信号ブロックおよび少なくとも１つのチャネル状態情報基準信号からなる場合、もしくは前記報告されたリソースが、少なくとも１つの同期信号ブロックおよび１つのチャネル状態情報基準信号からなる場合、前記設定することは、少なくとも１つの同期信号ブロックおよび少なくとも１つのチャネル状態情報基準信号を選択することを含む、請求項８に記載の方法。
【請求項１０】
少なくとも１つのプロセッサと、コンピュータプログラムコードを含む少なくとも１つのメモリとを備える装置であって、前記コンピュータプログラムコードは、前記少なくとも１つのプロセッサに実行されると、前記装置に少なくとも、
媒体アクセス制御層でセカンダリセル（ＳＣｅｌｌ）のビーム失敗を検出することと、
失敗が生じた前記ＳＣｅｌｌについて、候補ビーム測定値を物理層から受信することと、
ネットワーク構成に応じて、ＳＣｅｌｌビーム失敗リカバリ媒体アクセス制御制御要素におけるチャネル状態情報基準信号（ＣＳＩ−ＲＳ）および／または同期信号ブロック（ＳＳＢ）インデックスの報告されたセットを決定することと、
前記ＳＣｅｌｌビーム失敗リカバリ媒体アクセス制御制御要素を生成および送信することと、
を遂行させるように構成された、装置。
【請求項１１】
前記インデックスの報告されたセットを決定することは、前記受信した候補ビーム測定値に対する特定の選択基準に基づく、請求項１０に記載の装置。
【請求項１２】
前記コンピュータプログラムコードは、前記少なくとも１つのプロセッサに実行されると、前記装置に少なくとも、前記ＳＣｅｌｌビーム失敗リカバリ媒体アクセス制御制御要素がいつ適切に送信されたかを決定させるようにさらに構成された、請求項１２に記載の装置。
【請求項１３】
前記コンピュータプログラムコードは、前記少なくとも１つのプロセッサに実行されると、前記装置に少なくとも、前記ＳＣｅｌｌビーム失敗リカバリ媒体アクセス制御制御要素における少なくとも１つの報告されたリソースを前記物理層に示させるようにさらに構成され、前記示すことは、前記決定したインデックスの特定の選択基準に基づく、請求項１０から１２のいずれかに記載の装置。
【請求項１４】
前記コンピュータプログラムコードは、前記少なくとも１つのプロセッサに実行されると、前記装置に少なくとも、空間受信機フィルタを設定させるように構成され、前記設定することは、前記示された少なくとも１つの報告されたリソースに基づく、請求項１３に記載の装置。
【請求項１５】
前記物理層に示された、前記少なくとも１つの報告されたリソースが、複数の報告されたリソースを含む場合、前記コンピュータプログラムコードは、前記少なくとも１つのプロセッサに実行されると、前記装置に少なくとも、報告された最高の報告量を有するダウンリンク基準信号と、前記ＳＣｅｌｌの物理ダウンリンク制御チャネル復調基準信号とが疑似同位置であるという仮定の下、前記空間受信機フィルタを設定させるように構成され、
前記物理層に示された、前記少なくとも１つの報告されたリソースが、チャネル状態情報基準信号からなる場合、前記コンピュータプログラムコードは、前記少なくとも１つのプロセッサに実行されると、前記装置に少なくとも、報告された最高の報告量を有するチャネル状態情報基準信号に応じて、前記空間受信機フィルタを設定させるように構成され、
前記物理層に示された、前記少なくとも１つの報告されたリソースが、少なくとも１つのチャネル状態情報基準信号および少なくとも１つの同期信号ブロックを含む場合、前記コンピュータプログラムコードは、前記少なくとも１つのプロセッサに実行されると、前記装置に少なくとも、報告された最高の報告量を有する同期信号ブロックを想定して、前記空間受信機フィルタを設定させるように構成される
請求項１４に記載の装置。
【請求項１６】
前記空間受信機フィルタを設定することは、物理ダウンリンク制御チャネルの送信設定標示状態テーブルのエントリを考慮する、請求項１４又は１５に記載の装置。
【請求項１７】
前記装置がサービングＳＣｅｌｌごとに複数のパネルと、複数の送信機ユニットとともに動作可能であれば、前記コンピュータプログラムコードは、前記少なくとも１つのプロセッサに実行されると、前記装置に少なくとも、物理ダウンリンク制御チャネル復調基準信号が、報告された最高の報告量を有する複数のダウンリンク基準信号と疑似同位置であるという仮定の下、前記空間受信機フィルタを選択させるようにさらに構成される、請求項１４から１６のいずれかに記載の装置。
【請求項１８】
前記報告されたリソースが、２つ以上の同期信号ブロックおよび少なくとも１つのチャネル状態情報基準信号からなる場合、もしくは前記報告されたリソースが、少なくとも１つの同期信号ブロックおよび１つのチャネル状態情報基準信号からなる場合、前記コンピュータプログラムコードは、前記少なくとも１つのプロセッサに実行されると、前記装置に少なくとも、少なくとも１つの同期信号ブロックおよび少なくとも１つのチャネル状態情報基準信号を選択させるようにさらに構成される、請求項１７に記載の装置。
【請求項１９】
ネットワークノードによって、ユーザー機器から、セカンダリセル（ＳＣｅｌｌ）のビーム失敗の標示、または失敗が生じたＳＣｅｌｌの新候補リソースを示す媒体アクセス制御制御要素を受信することと、
送信設定標示状態設定を含む、前記ＳＣｅｌｌ上のビーム失敗リカバリに対する応答を受信するための、ユーザー機器空間受信機フィルタ仮定を決定するため、リソース選択に対して前記ユーザー機器と同じ選択論理を適用することと、
を含む方法。
【請求項２０】
新送信設定標示状態設定を送信するため、プライマリセルまたはＳＣｅｌｌを選択することをさらに含む、請求項１９に記載の方法。
【請求項２１】
少なくとも１つのプロセッサと、コンピュータプログラムコードを含む少なくとも１つのメモリとを備える装置であって、前記コンピュータプログラムコードは、前記少なくとも１つのプロセッサに実行されると、前記装置に少なくとも、
ユーザー機器から、セカンダリセル（ＳＣｅｌｌ）のビーム失敗の標示、または失敗が生じたＳＣｅｌｌの新候補リソースを示す媒体アクセス制御制御要素を受信することと、
送信設定標示状態設定を含む、前記ＳＣｅｌｌ上のビーム失敗リカバリに対する応答を受信するための、ユーザー機器空間受信機フィルタ仮定を決定するため、リソース選択に対して前記ユーザー機器と同じ選択論理を適用することと、
を遂行させるように構成される、装置。
【請求項２２】
前記少なくとも１つのメモリおよび前記コンピュータプログラムコードは、前記少なくとも１つのプロセッサによって、前記装置に少なくとも、新送信設定標示状態設定を送信するため、プライマリセルまたはＳＣｅｌｌを選択させるように構成された、請求項２１に記載の装置。
【請求項２３】
請求項１から９，１９，２０のいずれかに記載の方法を遂行する手段を備える装置。
【請求項２４】
装置の処理手段に実行されると、前記装置に、請求項１から９，１９，２０のいずれかに記載の方法を少なくとも遂行させるように構成されるプログラム命令を備える、コンピュータプログラム。
。